(57)【特許請求の範囲】
【請求項１】
ユーザの端末装置と通信可能な通信部と、
少なくとも商品の販売申込履歴及び購入申込履歴を含む、前記ユーザの商品売買サイトの利用履歴情報と、前記商品売買サイトのトップページを構成し得る素材情報とを記憶可能な記憶部と、
前記通信部により、前記端末装置から商品売買サイトのトップページの表示要求が受信された場合に、前記利用履歴情報を基に、前記ユーザの所定期間における販売申込数の合計値と購入申込数の合計値とを比較することで、前記ユーザが販売者傾向にあるか購入者傾向にあるかを判別し、前記判別された傾向に応じて、前記素材情報を選択し、当該選択された素材情報を基に前記トップページを生成し、当該生成されたトップページを、前記通信部により前記端末装置へ送信することが可能な制御部と
を具備するサーバ装置。
【請求項２】
請求項１に記載のサーバ装置であって、
前記制御部は、前記ユーザが販売者傾向にあると判別した場合、前記端末装置による前記トップページの受信時に販売申込に関する素材情報が購入申込に関する素材情報よりも多く表示されるように前記トップページを生成し、前記ユーザが購入者傾向にあると判別した場合、前記端末装置による前記トップページの受信時に購入申込に関する素材情報が販売申込に関する素材情報よりも多く表示されるように前記トップページを生成する
サーバ装置。
【請求項３】
請求項１に記載のサーバ装置であって、
前記制御部は、前記利用履歴情報を基に、前記ユーザが前記表示要求を送信する直前に受信したトップページから販売申込と購入申込のいずれを行ったかを判別し、前記ユーザが販売申込を行ったと判別した場合、前記端末装置による前記トップページの受信時に販売申込に関する素材情報が購入申込に関する素材情報よりも多く表示されるように前記トップページを生成し、前記ユーザが購入申込を行ったと判別した場合、前記端末装置による前記トップページの受信時に購入申込に関する素材情報が販売申込に関する素材情報よりも多く表示されるように前記トップページを生成する
サーバ装置。
【請求項４】
請求項１に記載のサーバ装置であって、
前記記憶部は、前記利用履歴情報として、前記販売申込及び前記購入申込から前記商品の取引が成立したか否かを示す商品取引履歴を記憶し、
前記制御部は、前記販売申込数の合計値と前記購入申込の合計値とをそれぞれ前記商品取引履歴によって重み付けした値を基に前記傾向を判別する
サーバ装置。
【請求項５】
請求項１に記載のサーバ装置であって、
前記制御部は、前記販売申込数の合計値及び前記購入申込数の合計値を基に前記ユーザの傾向を示す傾向度を算出し、前記算出された傾向度に応じて、前記トップページにおける前記販売申込に関する素材情報の表示領域の面積と前記購入申込に関する素材情報の表示領域の面積とを決定する
サーバ装置。
【請求項６】
請求項１に記載のサーバ装置であって、
前記制御部は、前記トップページ内に、販売申込に関する素材情報を有する第１のタブと、購入申込に関する素材情報を有する第２のタブとを生成し、前記ユーザが販売者傾向にあると判別した場合、前記端末装置による前記トップページの受信時に前記第１のタブがアクティブタブとして表示されるように前記トップページを生成し、前記ユーザが購入者傾向にあると判別した場合、前記端末装置による前記トップページの受信時に前記第２のタブが前記アクティブタブとして表示されるように前記トップページを生成する
サーバ装置。
【請求項７】
請求項１に記載のサーバ装置であって、
前記制御部は、前記販売申込数の合計値及び前記購入申込数の合計値を基に前記ユーザの傾向を示す傾向度を算出し、前記算出された傾向度が所定の閾値を上回っている場合には、販売申込に関する素材情報と購入申込に関する素材情報のうち前記判別された傾向に対応する申込に関する素材情報のみが表示されるように前記トップページを生成する
サーバ装置。
【請求項８】
請求項１に記載のサーバ装置であって、
前記制御部は、前記ユーザが販売者傾向にあると判別した場合、購入申込を推薦する情報が表示されるように前記トップページを生成し、前記ユーザが購入者傾向にあると判別した場合、販売申込を推薦する情報が表示されるように前記トップページを生成する
サーバ装置。
【請求項９】
請求項１に記載のサーバ装置であって、
前記トップページ上では、キーワードによる商品検索が可能であり、
前記制御部は、前記ユーザが販売者傾向にあると判別した場合、他のユーザによる前記商品検索によって検索結果が得られなかったキーワードに対応する商品の販売申込を推薦する情報が表示されるように前記トップページを生成する
サーバ装置。
【請求項１０】
請求項９に記載のサーバ装置であって、
前記制御部は、前記商品検索後の前記他のユーザの端末装置から前記トップページの表示要求が受信された場合に、前記キーワードに対応する商品の販売申込があるか否かを判別し、当該販売申込がある場合には、当該販売申込に関する情報が表示されるようにトップページを生成し、当該生成されたトップページを前記通信部により前記他のユーザの端末装置へ送信する
サーバ装置。
【請求項１１】
請求項１に記載のサーバ装置であって、
前記制御部は、前記判別された傾向に対応する申込に関する情報のうち、現在までに所定数以上の申込がある商品に関する情報が表示されるように前記トップページを生成する
サーバ装置。
【請求項１２】
請求項１１に記載のサーバ装置であって、
前記商品売買サイトはオークションサイトであり、
前記販売申込は出品であり、
前記購入申込は入札であり、
前記制御部は、前記ユーザが入札者傾向にあると判別した場合、入札数が上位の複数の商品に関する情報のうち、上位から所定数の商品に関する情報を除いた情報が表示されるように前記トップページを生成する
サーバ装置。
【請求項１３】
サーバ装置の通信部により、ユーザの端末装置から商品売買サイトのトップページの表示要求を受信し、
前記サーバ装置の制御部により、少なくとも商品の販売申込履歴及び購入申込履歴を含む、前記ユーザの商品売買サイトの利用履歴情報を基に、前記ユーザの所定期間における販売申込数の合計値と購入申込数の合計値とを比較することで、前記ユーザが販売者傾向にあるか購入者傾向にあるかを判別し、
前記制御部により、前記商品売買サイトのトップページを構成し得る素材情報から、前記判別された傾向に応じた素材情報を選択し、
前記制御部により、前記選択された素材情報を基に前記トップページを生成し、
前記通信部により、前記生成されたトップページを前記端末装置へ送信する
情報処理方法。
【請求項１４】
サーバ装置に、
ユーザの端末装置から商品売買サイトのトップページの表示要求を受信するステップと、
少なくとも商品の販売申込履歴及び購入申込履歴を含む、前記ユーザの商品売買サイトの利用履歴情報を基に、前記ユーザの所定期間における販売申込数の合計値と購入申込数の合計値とを比較することで、前記ユーザが販売者傾向にあるか購入者傾向にあるかを判別するステップと、
前記商品売買サイトのトップページを構成し得る素材情報から、前記判別された傾向に応じた素材情報を選択するステップと、
当該選択された素材情報を基に前記トップページを生成するステップと、
前記生成されたトップページを前記端末装置へ送信するステップと
を実行させるプログラム。
【発明の詳細な説明】
【技術分野】
【０００１】
本発明は、インターネット上でオークションサイト等のＥＣ（Electronic Commerce）サイトサービスを提供可能なサーバ装置、当該サーバ装置における情報処理方法及びプログラムに関する。
【背景技術】
【０００２】
従来から、例えばオークションサイト等のＥＣサイトにおいては、ユーザは商品の販売申込（出品）と購入申込（入札）の両方のアクションを行うことができる。【０００３】
例えば上記オークションサイトでは、そのトップページが出品者用のインタフェース領域と入札者用のインタフェース領域とに分けられており、ユーザは各領域を介して自身の望むアクションを実行することができる。【０００４】
下記特許文献１には、ユーザの出品活動を促進するための技術が記載されており、下記特許文献２には、ユーザの入札を促進するための技術が記載されている。
【先行技術文献】
【特許文献】
【０００５】
【特許文献１】特開２００９−２６５７４５号公報
【特許文献２】特開２０１１−２０４１１４号公報
【発明の概要】
【発明が解決しようとする課題】
【０００６】
ところで、上記オークションサイトにおいては、上記出品と入札の両方のアクションを同程度に行っているユーザは少数であり、大多数のユーザは、出品と入札のいずれかに偏る傾向にある。【０００７】
しかしながら、従来の技術では、その傾向の偏りを利用したサービスを実施することはできない。【０００８】
以上のような事情に鑑み、本発明の目的は、ユーザが商品売買サイトにおいて販売と購入のうちどちらの活動に傾倒しているかに応じてユーザに適したサイトを構築し、商品売買システムをより活性化することが可能なサーバ装置、情報処理方法及びプログラムを提供することにある。
【課題を解決するための手段】
【０００９】
上述の課題を解決するため、本発明の一形態に係るサーバ装置は、通信部と、記憶部と、制御部とを有する。上記通信部はユーザの端末装置と通信可能である。上記記憶部は、少なくとも商品の販売申込履歴及び購入申込履歴を含む、上記ユーザの商品売買サイトの利用履歴情報と、上記商品売買サイトのトップページを構成し得る素材情報とを記憶可能である。上記制御部は、上記通信部により、上記端末装置から商品売買サイトのトップページの表示要求が受信された場合に、上記利用履歴情報を基に上記ユーザが販売者傾向にあるか購入者傾向にあるかを判別可能である。また制御部は、上記判別された傾向に応じて、上記素材情報を選択し、当該選択された素材情報を基に上記トップページを生成し、当該生成されたトップページを、上記通信部により上記端末装置へ送信することが可能である。【００１０】
この構成により、サーバ装置は、ユーザが商品売買サイトにおいて販売と購入のうちどちらの活動に傾倒しているかに応じて、その傾向に適したトップページを生成することができ、ユーザが傾倒している活動をより活発化させ、またはユーザが傾倒していない活動を喚起させることで、商品売買システムをより活性化することができる。【００１１】
上記制御部は、上記ユーザが販売者傾向にあると判別した場合、上記端末装置による上記トップページの受信時に販売申込に関する素材情報が購入申込に関する素材情報よりも多く表示されるように上記トップページを生成してもよい。また制御部は、上記ユーザが購入者傾向にあると判別した場合、上記端末装置による上記トップページの受信時に購入申込に関する素材情報が販売申込に関する素材情報よりも多く表示されるように上記トップページを生成してもよい。【００１２】
これによりサーバ装置は、ユーザの傾向に合致した行動をトップページ上でスムースに実行させることができる。【００１３】
上記制御部は、上記利用履歴情報を基に、上記ユーザが上記表示要求を送信する直前に受信したトップページから販売申込と購入申込のいずれを行ったかを判別し、上記ユーザが販売申込を行ったと判別した場合、上記端末装置による上記トップページの受信時に販売申込に関する素材情報が購入申込に関する素材情報よりも多く表示されるように上記トップページを生成してもよい。また制御部は、上記ユーザが購入申込を行ったと判別した場合、上記端末装置による上記トップページの受信時に購入申込に関する素材情報が販売申込に関する素材情報よりも多く表示されるように上記トップページを生成してもよい。【００１４】
これによりユーザは、販売申込と購入申込のうち、前回執った行動と同じ行動をスムースに執ることができる。【００１５】
上記制御部は、上記利用履歴情報を基に、上記ユーザの直近の所定期間における販売申込数の合計値と購入申込数の合計値とを比較することで上記傾向を判別してもよい。【００１６】
これによりサーバ装置は、ユーザの傾向をより正確に把握でき、ユーザの望む行動を促進することができる。【００１７】
上記記憶部は、上記利用履歴情報として、上記販売申込及び上記購入申込から上記商品の取引が成立したか否かを示す商品取引履歴を記憶してもよい。この場合上記制御部は、上記販売申込数の合計値と上記購入申込の合計値とをそれぞれ上記商品取引履歴によって重み付けした値を基に上記傾向を判別してもよい。【００１８】
これによりサーバ装置は、販売または購入の申込から実際に取引が成立した場合にはその行動の傾向が強いとみなしてユーザの傾向を判別できる。【００１９】
上記制御部は、上記販売申込数の合計値及び上記購入申込数の合計値を基に上記ユーザの傾向を示す傾向度を算出し、上記算出された傾向度に応じて、上記トップページにおける上記販売申込に関する素材情報の表示領域の面積と上記購入申込に関する素材情報の表示領域の面積とを決定してもよい。【００２０】
これによりサーバ装置は、ユーザの傾向に合った素材情報の領域がより大きく表示されることで、ユーザの活動を促進することができる。【００２１】
上記制御部は、上記トップページ内に、販売申込に関する素材情報を有する第１のタブと、購入申込に関する素材情報を有する第２のタブとを生成してもよい。この場合制御部は、上記ユーザが販売者傾向にあると判別した場合、上記端末装置による上記トップページの受信時に上記第１のタブがアクティブタブとして表示されるように上記トップページを生成してもよい。また制御部は、上記ユーザが購入者傾向にあると判別した場合、上記端末装置による上記トップページの受信時に上記第２のタブが上記アクティブタブとして表示されるように上記トップページを生成してもよい。【００２２】
これによりサーバ装置は、ユーザの傾向に合った情報をアクティブタブとして表示させることで、ユーザの望む行動を促進できる。【００２３】
上記制御部は、上記販売申込数の合計値及び上記購入申込数の合計値を基に上記ユーザの傾向を示す傾向度を算出してもよい。そして制御部は、上記算出された傾向度が所定の閾値を上回っている場合には、販売申込に関する素材情報と購入申込に関する素材情報のうち上記判別された傾向に対応する申込に関する素材情報のみが表示されるように上記トップページを生成してもよい。【００２４】
これによりサーバ装置は、販売と購入のいずれかの活動に極端に偏っているユーザのトップページの見易さを向上させ、ユーザの傾向に合致しない不要な情報が表示されてユーザが煩わしさを感じるのを回避することができる。【００２５】
上記制御部は、上記ユーザが販売者傾向にあると判別した場合、購入申込を推薦する情報が表示されるように上記トップページを生成し、上記ユーザが購入者傾向にあると判別した場合、販売申込を推薦する情報が表示されるように上記トップページを生成してもよい。【００２６】
これによりサーバ装置は、販売者傾向のユーザにも購入申込を行わせ、購入者傾向のユーザにも販売申込を行わせることで、商品売買システム全体としてのアクティビティを向上させることができる。【００２７】
上記トップページ上では、キーワードによる商品検索が可能であってもよい。この場合上記制御部は、上記ユーザが販売者傾向にあると判別した場合、他のユーザによる上記商品検索によって検索結果が得られなかったキーワードに対応する商品の販売申込を推薦する情報が表示されるように上記トップページを生成してもよい。【００２８】
これによりサーバ装置は、他のユーザからの需要が高いと思われる商品について、出品者傾向のユーザに出品の機会を与えることができる。【００２９】
上記制御部は、上記商品検索後の上記他のユーザの端末装置から上記トップページの表示要求が受信された場合に、上記キーワードに対応する商品の販売申込があるか否かを判別してもよい。そして制御部は、当該販売申込がある場合には、当該販売申込に関する情報が表示されるようにトップページを生成し、当該生成されたトップページを上記通信部により上記他のユーザの端末装置へ送信してもよい。【００３０】
これによりサーバ装置は、他のユーザが欲する可能性の高い商品を推薦することができる。【００３１】
上記制御部は、上記判別された傾向に対応する申込に関する情報のうち、直近の所定期間において所定数以上の申込がある商品に関する情報が表示されるように上記トップページを生成してもよい。【００３２】
これによりサーバ装置は、ユーザが関心のある傾向の活動に関するリアルタイム情報を提供し、活動を喚起することができる。【００３３】
上記商品売買サイトはオークションサイトであり、上記販売申込は出品であり、上記購入申込は入札であってもよい。この場合上記制御部は、上記ユーザが入札者傾向にあると判別した場合、入札数が上位の複数の商品に関する情報のうち、上位から所定数の商品に関する情報を除いた情報が表示されるように上記トップページを生成してもよい。【００３４】
これによりサーバ装置は、入札数が最多のオークションは現在価格も高く、入札転換率が低いと考えられるため、適度な数を上位から除いた上で入札数が多いオークションを表示させることで、さらに入札数を増やすことができる。【００３５】
本発明の他の形態に係る情報処理方法は、
ユーザの端末装置から商品売買サイトのトップページの表示要求を受信すること、
少なくとも商品の販売申込履歴及び購入申込履歴を含む、上記ユーザの商品売買サイトの利用履歴情報を基に、上記ユーザが販売者傾向にあるか購入者傾向にあるかを判別すること、
上記商品売買サイトのトップページを構成し得る素材情報から、上記判別された傾向に応じた素材情報を選択すること、
当該選択された素材情報を基に上記トップページを生成すること、及び、
上記生成されたトップページを上記端末装置へ送信することを含む。【００３６】
本発明のまた別の形態に係るプログラムは、サーバ装置に、
ユーザの端末装置から商品売買サイトのトップページの表示要求を受信するステップと、
少なくとも商品の販売申込履歴及び購入申込履歴を含む、上記ユーザの商品売買サイトの利用履歴情報を基に、上記ユーザが販売者傾向にあるか購入者傾向にあるかを判別するステップと、
上記商品売買サイトのトップページを構成し得る素材情報から、上記判別された傾向に応じた素材情報を選択するステップと、
当該選択された素材情報を基に上記トップページを生成するステップと、
上記生成されたトップページを上記端末装置へ送信するステップと
を実行させる。【００３７】
以上のように、本発明によれば、ユーザが商品売買サイトにおいて販売と購入のうちどちらの活動に傾倒しているかに応じてユーザに適したサイトを構築し、商品売買システムをより活性化することができる。ここに記載された効果は必ずしも本発明を限定するものではなく、本発明は、本開示中に記載されたいずれかの効果が達成できればよい。
【図面の簡単な説明】
【００３８】
【図１】本発明の一実施形態に係るオークションシステムの構成を示した図である。
【図２】上記システムにおけるオークションサーバのハードウェア構成を示した図である。
【図３】上記オークションサーバが有するオークション利用履歴データベースの構成を示した図である。
【図４】上記オークションサーバが、ユーザ端末からの要求に応じてオークションサイトのトップページを生成して送信する際の動作の流れを示したフローチャートである。
【図５】上記オークションサーバによって生成されユーザ端末で表示されるオークションサイトのトップページの例を示した図である。
【図６】上記オークションサーバによって生成されユーザ端末で表示されるオークションサイトのトップページの例を示した図である。
【図７】本発明の他の実施形態において、オークションサーバによって生成されユーザ端末で表示されるオークションサイトのトップページの例を示した図である。
【発明を実施するための形態】
【００３９】
以下、本発明に係る実施形態を、図面を参照しながら説明する。
【００４０】
［システムの構成］
図１は、本実施形態に係るオークションシステムの構成を示した図である。
【００４１】
同図に示すように、このシステムは、インターネット５０上のオークションサーバ１００及び複数のユーザ端末２００を含む。
【００４２】
オークションサーバ１００は、オークションサイトの運営者により管理されるサーバであり、ユーザ端末２００とインターネット５０を介して接続されている。
【００４３】
ユーザ端末２００は、オークションに参加可能なユーザにより使用される端末であり、例えばノートブックＰＣ、デスクトップＰＣ、タブレットＰＣ（Personal Computer）、スマートフォン、携帯電話等である。上記ユーザは、上記オークションシステムの会員であり、それぞれログイン用のユーザＩＤを有する。
【００４４】
オークションサーバ１００は、ユーザ端末２００からのオークションサイトへのアクセス要求に応じて、オークションに出品されている商品に関する各種情報を有するウェブページ（ＨＴＭＬ（HyperText Markup Language）文書）を生成して、ユーザ端末２００へ返信する。
【００４５】
ユーザ端末２００は、オークションサーバ１００へアクセスし、上記ウェブページを受信して、ブラウザにより画面に表示する。多くの場合には、オークションサイトのうち、そのトップページに対してアクセスがなされる。ユーザ端末２００のユーザは、上記ブラウザによって表示されたページを介して、入札、落札及び各種オークション情報の閲覧等の操作を行うことができる。
【００４６】
［オークションサーバのハードウェア構成］
図２は、上記オークションサーバ１００のハードウェア構成を示した図である。同図に示すように、オークションサーバ１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００４７】
ＣＰＵ１１は、必要に応じてＲＡＭ１３等に適宜アクセスし、各種演算処理を行いながらオークションサーバ１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００４８】
入出力インタフェース１５には、表示部１６、操作受付部１７、記憶部１８、通信部１９等が接続される。
【００４９】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００５０】
操作受付部１７は、例えばマウス等のポインティングデバイス、キーボード、タッチパネル、その他の入力装置である。操作受付部１７がタッチパネルである場合、そのタッチパネルは表示部１６と一体となり得る。
【００５１】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳや各種アプリケーション、各種データが記憶される。特に本実施形態において、記憶部１８は、出品者情報、商品名、商品説明、商品画像、メーカー名等の出品商品情報、及び、入札額、入札終了時刻等を含むオークション情報のデータベースを記憶している。また後述するが、記憶部１８は、オークションシステムのユーザ毎に、そのオークション利用履歴を記憶している。
【００５２】
通信部１９は、例えばEthernet用のＮＩＣ（Network Interface Card）であり、上記ユーザ端末２００との間の通信処理を担う。
【００５３】
［オークションサーバのデータベース構成］
図４は、上記オークションサーバ１００が有するオークション利用履歴データベースの構成を示した図である。
【００５４】
このオークション利用履歴データベースは、各会員ユーザのユーザＩＤ毎に、オークションＩＤ、入札／出品フラグ、取引成立フラグ及び入札／出品日時の各情報項目を有する。
【００５５】
オークションＩＤは、ユーザが入札または出品したオークションを識別するＩＤである。
【００５６】
入札／出品フラグは、ユーザが上記オークションＩＤで識別されるオークションについて、入札行為と出品行為のいずれを行ったかを示すフラグである。
【００５７】
取引成立フラグは、上記オークションにおいて取引が成立したか否かを示すフラグであり、具体的には、ユーザが入札行為によって商品を落札して商品を購入したか、またはユーザが出品した商品が落札されて商品を販売したかを示すフラグである。
【００５８】
後述するが、これらデータベース内の情報は、ユーザからオークションサイトのトップページへアクセスがあった場合に、オークションサーバ１００がトップページを生成する際に参照される。
【００５９】
［オークションサーバの動作］
次に、以上のように構成されたオークションサーバ１００の動作について説明する。当該動作は、オークションサーバ１００のＣＰＵ１１及び通信部１９等のハードウェアと、記憶部１８に記憶されたソフトウェアとの協働により実行される。以下の説明では、便宜上、ＣＰＵ１１を動作主体とする。
【００６０】
図４は、本実施形態におけるオークションサーバ１００が、ユーザ端末２００からの要求に応じてトップページを生成して送信する際の動作の流れを示したフローチャートである。
【００６１】
同図に示すように、オークションサーバ１００のＣＰＵ１１は、ユーザ端末２００から、オークションサイトのトップページ表示要求を受信したか否かを判断する（ステップ４１）。当該表示要求はユーザＩＤによるログイン要求を伴う。
【００６２】
続いてＣＰＵ１１は、上記ユーザ端末２００のユーザのユーザＩＤから、対応するオークション履歴を抽出する（ステップ４２）。
【００６３】
続いてＣＰＵ１１は、上記オークション履歴から、ユーザの利用傾向、すなわち、入札者傾向か出品者傾向かを判別する（ステップ４３）。
【００６４】
具体的には、ＣＰＵ１１は、例えば、直近の所定期間（例えば１ヶ月、３ヶ月、半年等）におけるユーザの入札数の合計値と出品数の合計値とを比較し、入札数の合計値の方が多ければユーザは入札者傾向にあり、出品数の合計値の方が多ければユーザは出品者傾向にあると判断する。
【００６５】
また、ＣＰＵ１１は、単にどちらの傾向にあるかを判断するのみならず、その傾向の度合い（傾向度）を、例えば入札数と出品数の比率等から算出してもよい。さらに、ＣＰＵ１１は、それら入札数と出品数に加えて、上記取引成立フラグを用いて、いずれかの取引が成立した場合には所定の値を重み付けしてもよい。
【００６６】
ユーザが入札者傾向にあると判断した場合（ステップ４４のＹｅｓ）、ＣＰＵ１１は、記憶部１８に記憶された複数のトップページ用フォーマットから、入札者傾向のユーザ用のフォーマットを選択する（ステップ４５）。
【００６７】
一方、ユーザが出品者傾向にあると判断した場合（ステップ４４のＮｏ）、ＣＰＵ１１は、出品者傾向のユーザ用のフォーマットを選択する（ステップ４６）。
【００６８】
ここで、入札者傾向のユーザ用のフォーマットと、出品者傾向のユーザ用のフォーマットとは、例えば、入札用の情報またはユーザインタフェースの表示領域と、出品用の情報またはユーザインタフェースの表示領域の位置や面積に相違を有する。例えば、入札者傾向のユーザ用のフォーマットでは、入札用の情報やユーザインタフェースの領域がトップページ上部にまたは出品用の領域よりも大きく表示され、出品者傾向のユーザ用のフォーマットでは、出品用の情報やユーザインタフェースの領域がトップページ上部にまたは入札用の領域よりも大きく表示される。
【００６９】
そしてＣＰＵ１１は、上記選択されたフォーマットに、画像（商品画像、バナー画像等）やテキスト（オークション情報等）等のウェブページ素材を組み込み、トップページを生成し（ステップ４７）、それを要求元のユーザ端末２００へ送信する（ステップ４８）。
【００７０】
図５及び図６は、オークションサーバ１００により生成されユーザ端末２００で表示されるトップページの例を示した図である。図５は、入札者傾向のユーザ用のトップページを示し、図６は、出品者傾向のユーザ用のトップページを示している。
【００７１】
図５に示すように、入札者傾向のユーザ用のトップページでは、入札用の情報またはユーザインタフェースの表示領域５１が、出品用の情報またはユーザインタフェースの表示領域５２の上部に、かつ表示領域５２よりも大きく表示されている。
【００７２】
これにより入札者傾向のユーザは、より見やすく表示された当該表示領域５１を介して、自身が傾倒している入札アクションをすぐに行うことができる。
【００７３】
当該入札用の表示領域５１では、現在開催中のオークションの一覧（商品画像、現在価格、残り時間、入札数、ウォッチリスト登録ボタン等）が表示される。この一覧としては、全てのジャンルのオークションからランダムに抽出されて表示されてもよいし、ユーザが前回ログイン時に閲覧または入札したオークションのジャンルと同じジャンル（例えばレディースファッション）のオークションが抽出されてもよい。
【００７４】
また、表示領域５１では、当該一覧とは別に、現在入札が殺到しているオークションに関する情報も複数表示される。入札が殺到しているとは、現在開催中のオークションであって、かつ、入札数が上位のオークションである。ここで、入札数が最多のオークションから上位の所定数のオークションに関する情報が表示されてもよいが、入札数が最多またはそれに近いオークションは、現在の入札価格も高騰しているため、ユーザの入札転換率も低くなることが考えられる。そこで、上位の所定数のオークションに関する情報を除いた所定数のオークションに関する情報が表示されてもよい。例えば現在の入札数の上位３０個のオークションは除き、入札数が３１番目から６０番目のオークションに関する情報が表示されてもよい。
【００７５】
出品者用の情報またはユーザインタフェースの表示領域５２は、トップページの下部に、表示領域５１よりも小さく表示される。
【００７６】
また、例えばトップページの右隅には、広告またはバナーの表示領域５３が設けられている。この表示領域５３には、ユーザの傾向に合致した広告やバナーが表示される。入札者傾向のユーザ用のトップページでは、例えば入札を促進するようなキャンペーン情報や入札方法を解説した情報等、入札に関する広告やバナーが表示される。
【００７７】
一方、図６に示すように、出品者傾向のユーザ用のトップページでは、出品者用の情報またはユーザインタフェースの表示領域５２が、表示領域５１の上部に大きく表示される。
【００７８】
当該表示領域５２には、現在出品が殺到している商品、すなわち出品数が最多の商品から上位の所定数の商品に関する情報が表示される。
【００７９】
また表示領域５２には、出品処理を開始するためのユーザインタフェースや、出品者向けのキャンペーン情報等も表示される。
【００８０】
入札者用の情報またはユーザインタフェースの表示領域５１は、表示領域５２の下部に、表示領域５２よりも小さく表示される。
【００８１】
また表示領域５３には、出品者傾向のユーザ向けに、出品に関する広告やバナーが表示される。
【００８２】
［実施形態のまとめ］
以上説明したように、本実施形態では、ユーザがオークションシステムにおいて入札者傾向にあるのか出品者傾向にあるのかを判別し、当該判別した傾向に合致した情報がトップページ上でユーザにより見やすい位置または大きさで表示される。換言すると、判別した傾向に合致した情報が、合致しない情報よりも多く表示される。これによりユーザの傾向に合致した行動をより促進することができ、オークションサイトをより活性化することができる。
【００８３】
［変形例］
本発明は上述の実施形態にのみ限定されるものではなく、本開示の要旨を逸脱しない範囲内において種々変更され得る。
【００８４】
上述の実施形態においては、トップページ上で入札者用の表示領域と出品者用の表示領域とが分割されて表示された。しかし、入札者用の情報と出品者用の情報がそれぞれ異なるタブで表示されてもよい。
【００８５】
そしてオークションサーバ１００は、ユーザが入札者傾向にあると判断された場合には、ユーザ端末２００におけるトップページ表示の際に、入札者用のタブがアクティブタブとして表示され、ユーザが出品者傾向にあると判断された場合には、ユーザ端末２００におけるトップページ表示の際に、出品者用のタブがアクティブタブとして表示されるように、トップページを生成する。
【００８６】
図７は、この場合におけるトップページの表示例を示した図である。同図に示すように、ユーザが出品者傾向にあると判断された場合には、出品者用の情報が掲載されたタブ５４がアクティブタブとなるように設定される。
【００８７】
これによりユーザはわざわざタブを切り替えることなく自身の傾向に合致した行動を即座に執ることができる。
【００８８】
上述の実施形態では、ユーザが入札者傾向か出品者傾向かを判別し、それに応じてトップページ上の入札者用領域と出品者用領域の面積や位置を可変していた。しかし、ユーザのいずれかへの傾向度が所定の閾値を上回っている場合（例えば傾向度を最大１００とすると、９０以上）、入札者用の情報と出品者用の情報のうち、傾倒している傾向の情報のみが表示されてもよい。
【００８９】
上述の実施形態では、ユーザが傾倒している傾向の活動を促進するための広告やバナーが表示されていた。しかし、逆に、ユーザが傾倒していない傾向の活動を喚起するような広告やバナー等の情報がトップページ上に表示されてもよい。すなわち、ユーザが入札者傾向にあると判断された場合には、出品を推薦するような広告やバナーがトップページ上に設定され、ユーザが出品者傾向にあると判断された場合には、入札を推薦するような広告やバナーがトップページ上に設定されてもよい。
【００９０】
上述の実施形態において、トップページ上では、検索ボックスが設けられ、キーワードによる商品検索が可能であってもよい。そして、ユーザが出品者傾向にあると判別された場合には、他のユーザ端末のユーザがキーワードによる商品検索を実行したものの、その検索結果が得られなかった（ヒット件数が０の）商品の出品を推薦する情報がトップページ上に表示されてもよい。
【００９１】
さらに、この場合、上記商品検索を実行した他のユーザが、次にトップページにアクセスした場合に、オークションサーバが、上記キーワードに合致する商品の出品があるか否かを判断し、あればその商品のオークション情報をトップページ上に設定して他のユーザのユーザ端末に表示させてもよい。
【００９２】
上述の実施形態においては、本発明がオークションシステムに適用された例が示されたが、本発明は、例えば中古品売買サイト等、ユーザが販売申込と購入申込の双方が可能なＥＣサイトシステムであれば、どのようなシステムに適用されてもよい。
【符号の説明】
【００９３】
１１…ＣＰＵ
１８…記憶部
１９…通信部
３０…上位
５０…インターネット
５１…表示領域
５２…表示領域
５３…表示領域
５４…タブ
１００…オークションサーバ
２００…ユーザ端末
【要約】
サーバ装置は、通信部と、記憶部と、制御部とを有する。上記通信部はユーザの端末装置と通信可能である。上記記憶部は、少なくとも商品の販売申込履歴及び購入申込履歴を含む、上記ユーザの商品売買サイトの利用履歴情報と、上記商品売買サイトのトップページを構成し得る素材情報とを記憶可能である。上記制御部は、上記通信部により、上記端末装置から商品売買サイトのトップページの表示要求が受信された場合に、上記利用履歴情報を基に上記ユーザが販売者傾向にあるか購入者傾向にあるかを判別可能である。また制御部は、上記判別された傾向に応じて、上記素材情報を選択し、当該選択された素材情報を基に上記トップページを生成し、当該生成されたトップページを、上記通信部により上記端末装置へ送信することが可能である。
【選択図】図４【図１】
0005651274.tif 000002
【図２】
0005651274.tif 000003
【図３】
0005651274.tif 000004
【図４】
0005651274.tif 000005
【図５】
0005651274.tif 000006
【図６】
0005651274.tif 000007
【図７】
0005651274.tif 000008